(57)【要約】【課題】シート状の紙を用い耐久性、ファッション性、広告性、装飾性に優れた帽子の製造方法とその方法により製造された帽子提供することである。【解決手段】１つ以上に分割されたトップクラウン、１つ以上に分割されたサイドクラウン、１つ以上に分割された上面のつば、及び１つ以上に分割された下面のつばからなるシート状の紙を接合することを特徴とする帽子の製造方法であって、シート状の紙の接合手順が、あらかじめ、分割された各部位を接合し、それぞれ一体となったトップクラウン、サイドクラウン、上面のつば、下面のつばとし、当該トップクラウンとサイドクラウンを接合し、下面のつばの上面に接合し、その上に上面のつばを接合する手順からなることを特徴とする帽子の製造方法。【選択図】図１
2016011475.tif 000002
【特許請求の範囲】
【請求項１】
１つ以上に分割されたトップクラウン、１つ以上に分割されたサイドクラウン、１つ以上に分割された上面のつば、及び１つ以上に分割された下面のつばからなるシート状の紙を接合することを特徴とする帽子の製造方法であって、シート状の紙の接合手順が、あらかじめ、分割された各部位を接合し、それぞれ一体となったトップクラウン、サイドクラウン、上面のつば、下面のつばとし、当該トップクラウンとサイドクラウンを接合し、下面のつばの上面に接合し、その上に上面のつばを接合する手順からなることを特徴とする帽子の製造方法。
【請求項２】
トップクラウンとサイドクラウンとを接合したものに、下面のつばの内輪に汗取りバンド（サイズリボン）を接合した後、接合することを特徴とする請求項１項記載の帽子の製造方法。
【請求項３】
あらかじめクラウンの形状に接合した裏地をトップクラウンとサイドクラウンを接合したもの内側に重ねて下面のつばに接合することを特徴とする請求項１項、２項記載の帽子の製造方法。
【請求項４】
請求項１項、２項、３項に記載の帽子の製造方法によって製造された帽子。
【発明の詳細な説明】
【技術分野】
【０００１】
本発明は、シート状の紙から作られる耐久性、ファッション性、広告性、装飾性に優れた帽子の製造方法に関する。
【背景技術】
【０００２】
紙、不織布等のシート状の材料を用いた帽子としては厨房等で用いられる使い捨てのものが開示されている（たとえば特許文献１、２等）が、髪の毛が食品等に入らないことを目的とした業務用の使い捨ての帽子であり、日用品としての帽子ではなかった。
【０００３】
また、イベント、行事向けとしてサッカー場や野球場で用いるための紙類または合成樹脂で製作される帽子が開示されている（たとえば特許文献３）が、これもイベント等の会場では宣伝効果
として有効ではあるが、デザイン、かぶり心地、通気性において日用品としての帽子ではなかった。
【０００４】
上述したように、シート状の紙を用いた耐久性、ファッション性、広告性、装飾性に優れた帽子はなかった。
【先行技術文献】
【特許文献】
【０００５】
【特許文献１】特開2004-019017号公報
【特許文献２】特開2001-234418号公報
【特許文献３】特開2003-064522号公報
【発明の概要】
【発明が解決しようとする課題】
【０００６】
本発明の目的は、上記従来技術のこれらの問題点を解決し、破断しやすいという欠点のあったシート状の紙を用いた耐久性、ファッション性、広告性、装飾性に優れた日常着用できる帽子の製造方法とその方法により製造された帽子を提供することである。
【課題を解決するための手段】
【０００７】
本発明者は、上記課題について鋭意検討した結果、シート状の紙の分割方法、接合の手順を工夫することにより、破断のしやすいシート状の紙を用いながら、耐久性、ファッション性、広告性、装飾性に優れた日常着用できる帽子の製造方法を見出した。すなわち、本発明は下記の通りである。
（１）１つ以上に分割されたトップクラウン、１つ以上に分割されたサイドクラウン、１つ以上に分割された上面のつば、及び１つ以上に分割された下面のつばからなるシート状の紙を接合することを特徴とする帽子の製造方法であって、シート状の紙の接合手順が、あらかじめ、分割された各部位を接合し、それぞれ一体となったトップクラウン、サイドクラウン、上面のつば、下面のつばとし、当該トップクラウンとサイドクラウンを接合し、下面のつばの上面に接合し、その上に上面のつばを接合する手順からなることを特徴とする帽子の製造方法。
（２）トップクラウンとサイドクラウンとを接合したものに、下面のつばの内輪に汗取りバンドを接合した後、接合することを特徴とする（１）の帽子の製造方法。
（３）あらかじめクラウンの形状に接合した裏地をトップクラウンとサイドクラウンを接合したものの内側に重ねて下面のつばに接合することを特徴とする（１）、（２）の帽子の製造方法。
（４）（１）、（２）、（３）に記載の帽子の製造方法によって製造された帽子。
【発明の効果】
【０００８】
当該製造方法によって、破断しやすいシート状の紙を用いているにもかかわらず、日用品としての帽子と同等の形状で耐久性のある帽子を提供することができる。更には、シート状の紙自体の性状、外観を活かすことができるとともに、あらかじめ印刷、作画等をしたものを利用することができ、ファッション性、広告性、装飾性に優れた帽子となる。
【図面の簡単な説明】
【０００９】
【図１】シート状の紙から切り取られた部材の説明図である。（実施例１、実施例２共通）
【図２】シート状の紙から切り取られた部材の組み立て手順を示した説明図である。（実施例１）
【図３】シート状の紙から切り取られた部材の組み立て手順を示した説明図である。（実施例２）
【発明を実施するための形態】
【００１０】
シート状の紙として用いられる紙は西洋紙、和紙、新聞紙、ポスター等いかなる種類の紙でも良い。ファッション性、広告性、装飾性、通気性等の何れの機能を求めるかによって、あらかじめ、デザイン、活字、写真、ポスター等を印刷したものであってもよい。また、種々の草花、葉等を漉き込んだ和紙、版画、手書きの絵を描いた西洋紙、または、和紙であってもよい。また、強度の維持に必要な部分には樹脂シート、不織布、及び布による補強をしてもよい。紙の厚さは帽子の用いられる用途に合わせて選ばれる。
【００１１】
シート状の紙の裁断は、帽子のデザインに応じて変わるが、トップクラウン、サイドクラウン、上面のつば、下面のつばに分けられそれぞれが１つ以上に分割されていてもよい。特に、曲面を形成させるためには必要に応じて分割が好ましい。また、各部材は接合代、切断面を見せないようにするための折り返し代があってもよい。
【００１２】
トップクラウン、サイドクラウン、上面及び下面のつばは、帽子に要求されるデザインに応じて、シート状の紙を型に入れる等の手段により成型してもよい。
【００１３】
一体となった下面のつばの内輪に汗取りバンドを接合したのち、トップクラウンとサイドクラウンが一体となったものを接合することは好ましい。汗取りバンドは汗を吸い取る機能を有する繊維状のものが好ましい。
【００１４】
あらかじめ頭部の形状に接合した裏地をトップクラウンとサイドクラウンが一体となったものの内側に重ねて下面のつばに接合することが好ましい。裏地の素材はいかなる素材でも良いが、布、不織布、及び紙が好ましい。
【００１５】
帽子の外側にサイドベルトを巻いてもよく、更に好ましくは、上面のつばと胴が接する周囲をカバーするようにサイドベルトを巻くことがより好ましい。サイドベルトは、いかなる素材でも良いが、布、不織布、紙、及び樹脂シートが好ましい。
【００１６】
帽子の耐水性、耐候性を増すために必要とするところに防水剤を塗布することは好ましい。また、接合部の紙の強度を高めるため接合前、又は、接合後、形状の保持機能を有する樹脂を塗布することは好ましい。また、形状を保持することが必要な部分に形状保持機能を有する樹脂を塗布することは好ましい。また、通気性を確保するために天、胴に開口部を設けてもよい。接合方法は、接着剤、縫製等あるが何れでも良く、両方用いてもよい。
【実施例１】
【００１７】
図１に示すように、シート状の西洋紙からトップクラウン（１）、２分割されたサイドクラウン（２−１，２）、上面のつば（３）、下面のつば（４）を切り取る。次に図２に示すように、２分割されたサイドクラウン（２−１，２）を１体となるよう接合したものとトップクラウン（１）と接合したもの（５）、（５）を（４）下面のつばの上に接合、その上に上面のつば（３）を重ねて接合する。次に、つばの上面の内輪とサイドクラウンのつなぎ目を覆うように、あらかじめ接合したサイドベルト（図面なし）を接合する。
【実施例２】
【００１８】
図１に示すように、シート状の和紙からトップクラウン（１）、２分割されたサイドクラウン（２−１，２）、上面のつば（３）下面のつば（４）を切り取る。次に図３に示すように、２分割されたサイドクラウン（２−１，２）を一体となるように接合したものと、成形されたトップクラウンを接合した（５）の内側に裏地（６）を入れ、下面のつば（４）の内輪に汗取りバンド（７）と不織不の補強材（８）を接合したものの上に接合、その上に上面のつば（３）を重ねて接合する。次に、つばの上面の内輪とサイドクラウンのつなぎ目を覆うようにあらかじめ接合したサイドベルト（図面なし）を接合する。
【産業上の利用可能性】
【００１９】
帽子として使用できるとともに、ランプシェード、装飾品としての利用が期待できる。
【符号の説明】
【００２０】
１  トップクラウン
２−１  サイドクラウン１
２−２  サイドクラウン２
３  上面のつば
４  下面のつば
５  サイドクラウン１，２を一体化したものとトップクラウンを接合したもの
６  裏地
７  汗取りバンド
８  不織布の補強材
【図１】
2016011475.tif 000003
【図２】
2016011475.tif 000004
【図３】
2016011475.tif 000005